(57)【要約】【課題】モータケースから導出されたステータコイルの口出し線に絶縁不良が発生することを防止する。【解決手段】本実施形態の電動機は、モータケース内に設けられたステータコイルの複数本の口出し線を、モータケースの外部へ導出するようにしたものにおいて、モータケースに、当該モータケースから導出される前記複数本の口出し線を案内配置するための口出し線ガイドを備える。口出し線ガイドは、前記複数本の口出し線を互いに離間させた状態で個別に収容配置するガイド溝を複数本有している。【選択図】図１
2012249461.tif 000002
【特許請求の範囲】
【請求項１】
モータケース内に設けられたステータコイルの複数本の口出し線を、前記モータケースの外部へ導出するようにした電動機において、
前記モータケースに、当該モータケースから導出される前記複数本の口出し線を案内配置するための口出し線ガイドを備え、
前記口出し線ガイドは、前記複数本の口出し線を互いに離間させた状態で個別に収容配置するガイド溝を複数本有していることを特徴とする電動機。
【請求項２】
前記複数本のガイド溝は、前記口出し線の先端部側ほど隣り合ったガイド溝間の離間寸法が大きくなるように延びていることを特徴とする請求項１記載の電動機。
【請求項３】
前記口出し線ガイドにあって前記口出し線を屈曲させる部分に対応させて、曲面状をなす屈曲補助部を設けたことを特徴とする請求項１または２に記載の電動機。
【発明の詳細な説明】
【技術分野】
【０００１】
本発明の実施形態は電動機に関する。
【背景技術】
【０００２】
電動機においては、モータケース内に設けられたステータコイルの複数本の口出し線（リード線）がモータケースの外部へ導出されている。それらモータケースの外部へ導出された複数本の口出し線の先端部は例えば端子台に固定され、その端子台において、外部の接続線例えばインバータ回路の接続線と接続される。
【０００３】
このような構成の電動機においては、モータケースの外部へ導出された複数本の口出し線は、モータケースから導出された部分から端子台に固定される部分までの間は拘束されておらず、自由状態となっている。このため、電動機に発生する振動により、口出し線がモータケースに接触したり、異相の口出し線同士が接触したりして絶縁不良が発生してしまうおそれがあった。
【先行技術文献】
【特許文献】
【０００４】
【特許文献１】特開２００８−１２５１７０号公報
【発明の概要】
【発明が解決しようとする課題】
【０００５】
そこで、モータケースから導出されるステータコイルの口出し線に絶縁不良が発生することを防止できる電動機を提供する。
【課題を解決するための手段】
【０００６】
本実施形態の電動機は、モータケース内に設けられたステータコイルの複数本の口出し線を、モータケースの外部へ導出するようにしたものにおいて、モータケースに、当該モータケースから導出される前記複数本の口出し線を案内配置するための口出し線ガイドを備える。口出し線ガイドは、前記複数本の口出し線を互いに離間させた状態で個別に収容配置するガイド溝を複数本有している。
【図面の簡単な説明】
【０００７】
【図１】第１実施形態における電動機の縦断側面図
【図２】口出し線ガイドの斜視図
【図３】口出し線部分の平面図
【図４】図３のＸ４−Ｘ４線に沿う縦断正面図
【図５】図４のＸ５−Ｘ５線に沿う縦断側面図
【図６】第２実施形態における図２相当図
【図７】図３相当図
【図８】図４相当図
【図９】図５相当図
【発明を実施するための形態】
【０００８】
以下、複数の実施形態による電動機を図面に基づいて説明する。なお、各実施形態において実質的に同一の構成部位には同一の符号を付し、説明を省略する。
（第１実施形態）
まず、第１実施形態について図１〜図５を参照して説明する。図１に示すように第１実施形態の電動機１は、この場合三相の同期モータで、モータケース２を備えている。モータケース２は、円筒状をなすケース主体部３と、図１の左側に存する正面側ブラケット４と、図１の右側に存する後面側ブラケット５とを組み合わせて構成される。ケース主体部３は図１の左右方向に延びる円筒状をなしていて、そのケース主体部３の内周部に、ステータ６が設けられている。ステータ６は、ステータコア７と、ステータコイル８とを備えている。ステータコア７は、例えば珪素鋼板を多数枚積層した短円筒状をなしていて、このステータコア７に、三相のステータコイル８が巻装されている。正面側ブラケット４は、ケース主体部３の正面側の開口部を塞ぐように装着される。後面側ブラケット５は、ケース主体部３の後面側の開口部を塞ぐように装着される。したがって、ステータ６は、モータケース２内に収納された状態で設けられている。
【０００９】
ステータ６の内周部側にはロータ１０が回転可能に配設されている。このロータ１０の回転軸１１は、ステータ６の軸方向（図１の左右方向）に延びていて、正面側（図１の左側）の一端部１１ａが軸受１２を介して正面側ブラケット４に回転可能に支持され、後面側の他端部１１ｂが軸受１３を介して後面側ブラケット５に回転可能に支持されている。正面側ブラケット４の径方向の中央部には、後方側（図１において右側）へ突出するロータ支持部１５が形成されていて、このロータ支持部１５に、軸受１２を介して回転軸１１の一端部１１ａが支持されている。ロータ支持部１５の正面外側（図１の左側）には凹部１５ａが形成されていて、回転軸１１の一端部１１ａが、その凹部１５ａ内に突出している。
【００１０】
回転軸１１において、凹部１５ａの外側（正面側）に突出した一端部１１ａには、レゾルバロータ１６がアダプタ１６ａを介して取り付けられている。このレゾルバロータ１６は、回転軸１１と一体に回転する。凹部１５ａ内には、レゾルバロータ１６を囲繞するようにして環状のレゾルバステータ１７が固定状態に設けられている。これらレゾルバロータ１６とレゾルバステータ１７によりレゾルバ１８を構成している。レゾルバ１８は、ロータ１０の回転位置を検出するものである。
【００１１】
正面側ブラケット４の外側（正面側）には、凹部１５ａの開口部を塞ぐようにカバー１９がねじ止めされている。なお、レゾルバステータ１７から引き出されたリード線２０は、正面側ブラケット４の外側へ導出されている。
【００１２】
後面側ブラケット５の径方向の中央部にも、前方側（図１において左側）へ突出するロータ支持部２１が形成されていて、このロータ支持部２１に、軸受１３を介して回転軸１１の他端部１１ｂが支持されている。ロータ支持部２１の後面外側（図１の右側）にも凹部２１ａが形成されていて、回転軸１１の他端部１１ｂが、その凹部２１ａ内に突出している。
【００１３】
モータケース２のうちケース主体部３の上面部における前部側には、図３にも示すように、端子台２３がねじ２４により固定状態に取り付けられている。また、この端子台２３の前部側には取付板２５が配置されていて、この取付板２５が、ねじ２６により正面側ブラケット４の上部に固定状態に取り付けられている。正面側ブラケット４の上部には、口出し線導出用の開口部からなる導出口２７（図１参照）が形成されている。また、取付板２５には、その導出口２７の上方に対応する部位に位置させて、口出し線導出用の開口部からなる導出口２８が導出口２７に連通するように形成されている。
【００１４】
そして、前記ステータコイル８の複数本の引出し線３０が、前記正面側ブラケット４の導出口２７、および取付板２３の導出口２８を通してモータケース２の外部（上部）へ導出されている。この場合、ステータコイル８は、三相でかつダブルスター結線されていて、その口出し線３０は、図３および図４に示すように６本存している。これら６本の口出し線３０は同相同士が２本ずつ並べられて３組に分けられていて、各組の２本の口出し線３０の先端部に１個の金属製の接続端子３１が圧着により取り付けられている。したがって、接続端子３１は３個存している。各接続端子３１には、取付孔３１ａが形成されている。各口出し線３０は、図示しない導線の周りが絶縁被覆によって覆われている。
【００１５】
前記取付板２５の導出口２８部分には、口出し線ガイド３２が配置されている。この口出し線ガイド３２は、絶縁材この場合合成樹脂にて形成されたもので、図２に示すように、平板状をなす取付部３３と、この取付部３３から下方へ延びるガイド部３４とを一体に有していて、取付部３３の左右両端部には上下方向に延びる取付孔３５が形成されている。この口出し線ガイド３２は、ガイド部３４を導出口２８から導出口２７にかけて挿入した状態で、取付部３３の取付孔３５に挿通したねじ３６により、前記取付板２５の上面部に固定状態に取り付けられている。ガイド部３４には、それぞれ上下方向に延びるガイド溝３７が複数本、この場合３本形成されている。各ガイド溝３７は、前面側が開口し、上面側からみてＵ字状をなしている。
【００１６】
そして、前記導出口２７および導出口２８を通して外部へ導出される３組の口出し線３０は、３本のガイド溝３７に分けて収容配置するようにして配線されている。３組の各口出し線３０は、上向きの状態から先端部が後方に向けてほぼ９０度曲がるよう曲線状に曲げられ、先端部の接続端子３１が端子台２３の上面に配置されている。そして、各接続端子３１には、図１に二点鎖線で示すように、外部接続線、例えばインバータ用接続線３８が、端子台２３においてねじ３９により接続される。
【００１７】
上記した実施形態によれば、モータケース２に、複数本この場合３本のガイド溝３７を有する口出し線ガイド３２を設け、モータケース２内から導出口２７および導出口２８を通して外部へ導出されるステータコイル８の３組の口出し線３０を、互いに離間させた状態で３本のガイド溝３７に個別に収容配置した状態で配線する構成とした。これにより、ステータコイル８の３組の口出し線３０がモータケース２に不用意に接触したり、異相の口出し線３０同士が接触したりすることを防止することができ、絶縁不良が発生することを防止できるようになる。
【００１８】
（第２実施形態）
次に第２実施形態について図６〜図９を参照して説明する。この第２実施形態においては、特に口出し線ガイド４０の構成が、第１実施形態の口出し線ガイド３２とは異なっている。口出し線ガイド４０は、口出し線ガイド３２と同様に絶縁材この場合合成樹脂にて形成されたもので、図６に示すように、上部の取付部４１と、この取付部４１から下方へ延びるガイド部４２とを一体に有している。このうち、取付部４１の高さ寸法（厚さ寸法）は、前記口出し線ガイド３２の取付部３３の高さ寸法よりも大きく形成されている。取付部４１の左右両端部には、上下方向に延びる取付孔４３が形成されている。
【００１９】
この口出し線ガイド４０も、第１実施形態の口出し線ガイド３２と同様に、ガイド部４２を導出口２８から導出口２７にかけて挿入した状態で、取付部４１の取付孔４３に挿通したねじ４４により、前記取付板２５の上面部に固定状態に取り付けられている。ガイド部４２にも、それぞれ上下方向に延びる３本のガイド溝４５，４６，４７が形成されている。各ガイド溝４５，４６，４７は、前記ガイド溝３７と同様に前面側が開口し、上面側からみてＵ字状をなしている。
【００２０】
３本の各ガイド溝４５〜４７は、上部が取付部４１の上面側まで延びている。このうち、中央部のガイド溝４６は、図７に示すように、まっすぐ後方に向けて延びているが、左側（図７において上側）のガイド溝４５は、後端部側ほど中央部のガイド溝４６からの離間距離が大きくなるように、中央部のガイド溝４６に対して左方向に斜めに向いて延びている。また、右側（図７において下側）のガイド溝４７も、後端部側ほど中央部のガイド溝４６からの離間距離が大きくなるように、中央部のガイド溝４６に対して右方向に斜めに向いて延びている。各ガイド溝４５，４６，４７において、取付部４１に対応する底部に相当する部分には、曲面状をなす屈曲補助部４８（図９参照）が設けられている。
【００２１】
そして、前記導出口２７および導出口２８を通して外部へ導出される３組の口出し線３０は、３本のガイド溝４５，４６，４７に分けて収容配置するようにして配線される。３組の各口出し線３０は、図９に示すように上向きの状態から先端部が後方に向けて９０度曲線状に曲げられ、先端部の接続端子３１が端子台２３の上面に配置される。このとき、各口出し線３０は、曲面状をなす屈曲補助部４８を利用して屈曲させることで、曲線状に容易に屈曲させることができる。また、図７に示すように、３組の口出し線３０のうち左側のガイド溝４５に配線される口出し線３０は、中央部のガイド溝４６に配線される口出し線３０に対して先端部側（後端部側）ほど離間寸法が大きくなるように左斜め方向に配置され、右側のガイド溝４７に配線される口出し線３０は、中央部のガイド溝４６に配線された口出し線３０に対して先端部側（後端部側）ほど離間寸法が大きくなるように右斜め方向に配置される。したがって、口出し線ガイド４０における３本のガイド溝４５，４６，４７は、ここに配置される口出し線３０の先端部側ほど隣り合ったガイド溝間の離間寸法が大きくなるように延びている。
【００２２】
上記した実施形態によれば、特に、口出し線ガイド４０に設けられた３本のガイド溝４５，４６，４７は、ここに配置される口出し線３０の先端部側ほど隣り合ったガイド溝間の離間寸法が大きくなるように延びているので、３組の口出し線３０を所定の位置まで容易に導くことができ、また、異相の口出し線３０の絶縁空間距離を一層確実に確保することができ、絶縁不良が発生することを一層確実に防止することができる。
【００２３】
また、各ガイド溝４５，４６，４７に屈曲補助部４８を設けているので、各ガイド溝４５，４６，４７に配置される口出し線３０を屈曲させる際にその屈曲補助部４８を利用することで、容易に屈曲させることができる利点がある。
【００２４】
（その他の実施形態）
ステータコイル８の口出し線３０は、２本を一組にしたものに限られず、１本ずつに分けられたものにも適用できる。また、電動機としては、同期モータに限られず、誘導モータにも適用できる。
【００２５】
以上のように本実施形態の電動機によれば、モータケースに、当該モータケースから導出されるステータコイルの複数本の口出し線を案内配置するための口出し線ガイドを備え、その口出し線ガイドは、前記複数本の口出し線を互いに離間させた状態で個別に収容配置するガイド溝を複数本有する構成とした。これにより、ステータコイルの口出し線がモータケースに不用意に接触したり、異相の口出し線同士が接触したりすることを防止することができ、絶縁不良が発生することを防止できるようになる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
図面中、１は電動機、２はモータケース、６はステータ、８はステータコイル、２３は端子台、３０は口出し線、３１は接続端子、３２は口出し線ガイド、３７はガイド溝、３８はインバータ用接続線（外部接続線）、４０は口出し線ガイド、４５，４６，４７はガイド溝、４８は屈曲補助部を示す。
【図１】
2012249461.tif 000003
【図２】
2012249461.tif 000004
【図３】
2012249461.tif 000005
【図４】
2012249461.tif 000006
【図５】
2012249461.tif 000007
【図６】
2012249461.tif 000008
【図７】
2012249461.tif 000009
【図８】
2012249461.tif 000010
【図９】
2012249461.tif 000011